(57)【特許請求の範囲】
【請求項１】
カップ付き女性用衣類のカップ部に装着され、ボリュームアップ機能を果たす柔軟性と弾発性を有する素材で構成された厚肉部を備えるパッドにおいて、
脇寄り部分から中間部分を経て前中心寄り部分にかけて下縁が滑らかな凸型に湾曲し、
前記中間部分の上縁が凹型に括れ、
前記中間部分の幅が前記脇寄り部分と前記前中心寄り部分のいずれの幅よりも狭くされていることを特徴とするパッド。
【請求項２】
前記脇寄り部分の体積は、前記前中心寄り部分の体積よりも大きくされていることを特徴とする請求項１記載のパッド。
【請求項３】
前記脇寄り部分から前記中間部分を経て前記前中心寄り部分にかけての上縁側には、薄く成型した薄肉部分が更に設けられていることを特徴とする請求項１または２記載のパッド。
【請求項４】
請求項１〜３のいずれか記載のパッドがあらかじめカップ部に取り付けられているパテッド型カップ付き女性用衣類。
【発明の詳細な説明】
【０００１】
【発明の属する技術分野】
本発明は、カップ付き女性用衣類のカップに装着されるパッドと、いわゆるパッテド型のカップ付き女性用衣類に関する。
【０００２】
【従来の技術】
カップ付き女性用衣類の代表例であるファンデーション衣類としてのブラジャー等では、しばしばボリュームアップの目的でパッドが装着される。そして、使用時（着用状態）において乳房に好適にフィットさせるべく、例えば特開平９−４１２０７、特開平９−１７６９０４、実開平５−４６９０２、実開平７−６２１８等が提案されている。これらのパッドは三日月あるいはブーメラン形状を成しており、概ね「カップくり」に沿うように工夫されている。
【０００３】
また、使用時の形態だけでなく、非使用時（着用していない非着用状態）の形態にも着目した従来例として、例えば特開平１１−２２９２０６が知られている。このパッドでは、着用状態と非着用状態で容易に異なる形態になり得るようにするため、中間部分に折れ曲がり部が設けられている。
【０００４】
【発明が解決しようとする課題】
しかし、三日月あるいはブーメラン形状とした従来パッドでは、ボリュームアップが不充分であるにも拘わらず、着用者が圧迫感を受けてしまう欠点がある。一方、中間部に折れ曲がり部を設けた従来パッドでは、異物感や違和感が著しいという欠点がある。これは、比較的硬質な素材となりがちな折れ曲がり部（特に上端部）が、乳房（特に敏感な乳頭）に触れてしまうためであり、特に着用者が腕を挙げたりする等の運動時には耐え難いものとなる。
【０００５】
一般に、異物感や違和感を減少させるためには、パッドの素材を柔軟なものにすれば良い。しかし、これではボリュームアップというパッド本来の機能が低下する。また、素材を柔軟にしても圧迫感は基本的に解消できず、柔軟な素材では整形性が劣るので目的のバストラインを創り上げることが困難になる。
【０００６】
本発明は、このような課題を解決したパッドと、パテッド型のカップ付き女性用衣類を提供することを目的とする。
【０００７】
【課題を解決するための手段】
本発明は、カップ付き女性用衣類のカップ部に装着され、ボリュームアップ機能を果たす柔軟性と弾発性を有する素材で構成された厚肉部を備えるパッドにおいて、脇寄り部分から中間部分を経て前中心寄り部分にかけて下縁が滑らかな凸型に湾曲し、中間部分の上縁が凹型に括れ、中間部分の幅が脇寄り部分と前中心寄り部分のいずれの幅よりも狭くされていることを特徴とする。
【０００８】
本発明のパッドによれば、その下縁が滑らかな凸型に湾曲しているので、カップ付き女性用衣類の「カップくり」に沿ってフィットすることとなる。また、中間部分の上縁が凹型に括れているので、着用状態において乳頭とその下方寄り部分が圧迫を受けることなく収まるスペースが形成される。しかも、中間部分の幅が脇寄り部分と前中心寄り部分のいずれの幅よりも狭くされているので、乳房がトップ領域の両下方から押されてボリュームアップされると共に、パッドが中間部分で折れ曲がりやすくカップの立体形状に沿って変形し、カップとパッドが一体となってバストを包み込むこととなる。したがって、着用者に違和感を与えること無く、バスト全体を中央（乳頭近傍）に寄せてボリュームアップを実現する。
【０００９】
本発明に係るパッドにおいて、脇寄り部分の体積は、前中心寄り部分の体積よりも大きくされていることを特徴としても良く、このようにすればバストの脇寄せ機能は更に向上する。
【００１０】
本発明に係るパッドにおいて、脇寄り部分から中間部分を経て前中心寄り部分にかけての上縁側には、薄く成型した薄肉部分が更に設けられていることを特徴としても良い。薄肉部分が中央部分での折れ曲がりを多少は妨げることとなるが、柔軟な素材で薄肉部分を形成することで、着用者に違和感を与えること無くボリュームアップを実現できる。
【００１１】
なお、上記のパッドがあらかじめカップ部に取り付けられているパッテド型カップ付き女性用衣類としても良い。これによれば、カップとパッドがあらかじめ一体となっているので、カップ部は中間部分で折れ曲がりやすく、着用者に違和感を与えること無くバスト全体を包み込み、ボリュームアップを実現する。
【００１２】
【発明の実施の形態】
具体的なパッドの実施形態の説明に先立ち、本発明の完成に至る検討の過程を説明する。
【００１３】
パッドはバストのボリュームアップを目的として用いられるが、着用者はパッドを装着したことによる圧迫感、異物感、違和感を好まない。パッドの存在感がなくて、バストを美しく整えることができ、しかも自分の胸にピッタリ馴染むパッドやブラジャーを欲している。しかし、パッドのボリュームアップ機能を高めようとすれば、圧迫感や違和感が生じて蝕感が低下するのは、ある意味で必然であり、これらはトレードオフの関係にあった。
【００１４】
このような相矛盾する要望に応えるべく、本発明者は人体のバストの「ハリ」をキュートモニター装置（皮膚を低圧で吸引し、吸引の程度でハリを推定する装置）で測定した。モニターはボディステージ１〜３（１９〜２６歳、２７〜３６歳、３７〜４９歳）の計７名であり、バストのトップ（乳頭）の下方寄り部分、上方寄り部分、脇寄り部分、前中心寄り部分の４ヶ所の皮膚を吸引し、そのハリを測定して平均値を求めた。その結果、バストトップの下方寄り部分のハリを１００％とすると、上方寄り部分は５０％前後、脇寄り部分は７０％前後、前中心寄り部分も７０％前後となり、７名のモニター間で大差が無いことが判明した。
【００１５】
このような知見に基づき本発明者は、バストトップの下方寄り部分におけるパッドのボリュームを相対的に減少させる一方、脇寄り部分と前中心寄り部分におけるパッドのボリュームを相対的に増加させれば、圧迫感や違和感を減少させつつ充分なバストアップが実現できるのではないか、と考えた。
【００１６】
以下、本発明の実施形態を図面に基づき説明する。なお、同一要素には同一符号を付し、重複する説明を省略する。
【００１７】
図１は実施形態のパッドを示し、同図（ａ）は正面図、同図（ｂ）はＡ１−Ａ２線の断面図である。パッド１の外縁（平面的な広がりの縁）は微少幅の薄肉部１１で規定されるが、主たるボリュームアップ機能部分は点線で外縁が示された厚肉部１２である。この厚肉部１２は柔軟性と弾発性を有する素材で構成されており、その厚さは脇寄り部分から中間部分を経て前中心寄り部分に至るまで同等である。
【００１８】
パッド１の平面形状について説明すると、その下縁は、脇寄り部分（図中の「脇」）から中間部分（図中の「中央」）を経て前中心寄り部分（図中の「前」）にかけて、滑らかな凸型に湾曲している。この湾曲形状は「カップくり」に沿うものであり、ワイヤーフォーム型ブラジャーではカップワイヤーに沿うライン（いわゆるバージスライン）に対応する。そして、パッド１は中間部分の上縁が凹型に括れており、両側の脇寄り部分と前中心寄り部分の上縁はそれぞれ滑らかな凸型に湾曲している。
【００１９】
更に、本実施形態に係るパッド１の平面形状で特徴的なことは、中間部分の幅が脇寄り部分と前中心寄り部分のいずれよりも狭い幅（７０〜１０％の幅、好ましくは７０〜４０％の幅）とされていることである。そして、括れた中間部分から脇寄り部分と前中心寄り部分との体積を相対比較すると、脇寄り部分の体積が４０％未満程度大きく、かつ、括れた中間部分から脇寄り部分と前中心寄り部分との長さを比較すると、脇寄り部分が５０％未満程度長く成型されている。
【００２０】
本実施形態のパッド１によれば、その下縁が滑らかな凸型に湾曲しているので、カップ付き女性用衣類のカップ部に設けられたパッド収納ポケット（図示せず）に収納されることで、カップくりに沿って位置決めされる。このため、着用状態においてパッド１の存在を部分的に感じないバランスの良い接触感、バスト全体をしたから支えられている安定感、カップにパッド１が沿った（合う）形の一体感が得られる。
【００２１】
また、中間部分の上縁が凹型に括れており、かつ、中間部分の幅が脇寄り部分と前中心寄り部分のいずれよりも狭い幅となる程度に大きく括れているので、着用状態において乳頭と、更に乳頭の下方寄り部分（乳房の中でハリが最も高い部分）とがパッド１からの圧迫等を受けることなく収まるスペース（括れによるスペース）が形成される。このため、着用者は圧迫感や違和感を感じ難くなり、いわゆるパッド１の触感が向上する。
【００２２】
また、中間部分が括れて両側部分（脇寄りと前中心寄りの部分）が大きな体積に成型されているので、バストは脇側と前中心側の両側からボリュームアップされる。そして、脇寄り部分の体積が前中心寄り部分の体積よりも大さくされているので、バストの脇寄せ機能は更に向上する。
【００２３】
更に、中間部分が括れて両側部分より幅が狭くなっているので、パッド１が中間部分で折れ曲がりやすくなる。このため、着用状態ではカップの立体形状に沿って変形し、カップとパッド１が一体となってバストを包み込むこととなるので、着用者に違和感を与えること無く、バスト全体を中央（乳頭近傍）に寄せてボリュームアップを実現する。
【００２４】
図２（ａ）〜（ｄ）は、図１に示すパッド１の変形例を示している。いずれの変形例も、▲１▼下縁がカップくりに沿うように滑らかな凸型に湾曲していること、▲２▼中間部分の上縁が凹型に括れていること、▲３▼中間部分が両側よりも幅狭に形成されていること、▲４▼脇寄り部分の体積が前中心寄り部分の体積よりも大きくされていること、の各点で共通している。
【００２５】
異なる点を言えば、図２（ａ）のパッド１は中間部分が上縁から幅広く大きく括れていること、同図（ｂ）のパッド１は中間部分で概ねＶ字型に括れていること、同図（ｃ）のパッド１は中間部分で幅広く概ね矩形状に括れていること、同図（ｄ）のパッド１は中間部分で入口が狭くなる略三角形状に括れていることである。
【００２６】
いずれの場合も、乳房の中でハリが最も高い乳頭の下方寄り部分が収容されるスペースが、中間部分の括れにより形成される。そして、パッド１が中間部分で折れ曲がりやすくなるため、着用状態ではカップの立体形状に沿って変形し、カップとパッド１が一体となってバストを包み込むこととなる。
【００２７】
図３（ａ）〜（ｄ）は、図１に示すパッド１の別の変形例を示している。いずれの変形例も図２と同様に、▲１▼下縁がカップくりに沿うように滑らかな凸型に湾曲していること、▲２▼中間部分の上縁が凹型に括れていること、▲３▼中間部分が両側よりも幅狭に形成されていること、の各点で共通している。
【００２８】
図３（ａ）〜（ｃ）で特徴的な点は、同図（ａ）では脇寄り部分の体積が前中心寄り部分の体積と同等で、脇寄り部分の長さも前中心寄り部分と同等になっていること、同図（ｂ）では脇寄り部分の体積が前中心寄り部分の体積より大きいのに反し、脇寄り部分の長さが前中心寄り部分より短くなっていること、同図（ｃ）では脇寄り部分の体積が前中心寄り部分の体積より小さく、しかも脇寄り部分の長さが前中心寄り部分より短くなっていることである。
【００２９】
図４は、別の実施形態のパッド１を示し、同図（ａ）は正面図、同図（ｂ）はＢ１−Ｂ２線の断面図である。パッド１は薄肉部分１１と点線で外縁を図示する厚肉部分１２で構成されており、主として厚肉部分１２がバストのボリュームアップというパッド機能を奏する。厚肉部分１２については、▲１▼脇寄り部分から中間部分を経て前中心寄り部分にかけて下縁が滑らかな凸型に湾曲していること、▲２▼中間部分の上縁が凹型に括れていること、▲３▼中間部分の幅が脇寄り部分と前中心寄り部分のいずれの幅よりも狭くされていること、▲４▼脇寄り部分の体積が前中心寄り部分の体積よりも大きくされていること、の各点において、図１に示す実施形態と同等である。
【００３０】
異なる点は、パッド１の脇寄り部分から中間部分を経て前中心寄り部分にかけての上縁側に、薄く成型した薄肉部分１１が広い範囲で設けられていることである。このような場合には、薄肉部分１１が中央部分での折れ曲がりを多少は妨げることとなるが、柔軟な素材で薄肉部分１１を形成することで、着用者に違和感を与えること無くボリュームアップを実現できる。
【００３１】
図５（ａ）、（ｂ）は、図４に示すパッド１の変形例を示している。いずれの変形例も、パッド機能を保持する厚肉部分１２において、▲１▼下縁がカップくりに沿うように滑らかな凸型に湾曲していること、▲２▼中間部分の上縁が凹型に括れていること、▲３▼中間部分が両側よりも幅狭に形成されていること、▲４▼脇寄り部分の体積が前中心寄り部分の体積よりも大きくされていること、の各点で共通しており、厚肉部分１２の上縁側に薄肉部分１１が広がっている点でも共通している。
【００３２】
異なる点は薄肉部分１１が広がっている範囲であり、同図（ａ）では脇寄り部分から中間部分を経て前中心寄り部分にかけての上縁が滑らかな凸型になるように、同図（ｂ）では中間部分で上方に突出しする形状（フルカップ型のカップに適合する形状）をなしている。このような場合にも、薄肉部分１１の素材や厚さを選択することで、着用者に違和感を与えること無くボリュームアップを実現できる。
【００３３】
本発明に係るパッドが、あらかじめカップ部に取り付けられている場合、すなわちパテッド型カップ付き女性用衣類においては、カップとパッドがあらかじめ一体となっているので、カップ部は中間部分で折れ曲がりやすく、着用者に違和感を与えること無くバスト全体を包み込み、ボリュームアップを実現する。なお、パッテド型カップには接ぎタイプのものと一体成型タイプの二種類があるが、本発明はいずれのタイプにも好適である。
【００３４】
このようなカップ付き女性用衣類の代表例としてのブラジャーは、左右一対のカップ部と、前中心部から脇布部までを含む土台部と、土台部の背側に続くバック部と、カップ部の上縁部とバック部の間に掛け渡された肩ストラップと、を主要なパーツとして構成されている。そして、カップ部の下縁にはカップワイヤーを内蔵したカップワイヤー部を備えることが望ましい。
【００３５】
本出願人は、図1に示すタイプのブラジャーを試作し、商品パフォーマンスを調べた。モニターはＣ７０とし、ＢＳＩ（ボディステージＩ）が１９〜２４歳の７名、ＢＳIIが２７〜３６歳の６名、ＢＳIIIが３７〜４９歳の３名として、試作
品と従来品の着用試験を行った。着用状態で写真撮影し、モアレ干渉縞により立体的な造型性を比較したところ、従来品と比較して遜色ない程度のボリュームアップと寄せ上げ効果が確認された。
【００３６】
また、モニターに着用感のコメントを求めたところ、１６名中１３名が「試作品を着けたい」、３名が「どちらも甲乙つけ難い」と回答し、試作品に好評価を与えた１３名からは、例えば▲１▼パッドの存在を感じない（厚みのあるパテッド型ブラジャーを着けているみたい）、▲２▼パッドによる圧迫感が少なく、押さえられた感じがしない、等の着用感コメントが得られた。
【００３７】
本発明は、上記の実施形態や変形例に限らず、種々の態様が可能である。例えば、ファンデーション衣類としてのブラジャー以外にも、カップ部と土台部を備えるものには適用できる。また、前中心を係脱自在のホックで連結するフロントホック型ブラジャーにも適用できる。ボーン部材は、カップ部１および土台部２の表側に接着、溶着して設けても良い。
【００３８】
【発明の効果】
本発明のパッドは、中間部に括れを有して両側より幅が狭く成型されているので、バストをトップ領域の両側下方よりボリュームアップできる。このため、美麗で豊満なバストラインを創造しつつ、着用者には圧迫感や違和感、異物感を与えない優れた着用感を実現できる。
【図面の簡単な説明】
【図１】実施形態に係るパッドの正面図および断面図である。
【図２】実施形態に係るパッドの変形例を示す正面図である。
【図３】実施形態に係るパッドの別の変形例を示す正面図である。
【図４】別の実施形態に係るパッドの正面図および断面図である。
【図５】別の実施形態に係るパッドの変形例を示す正面図である。
【符号の説明】
１…パッド、１１…薄肉部分、１２…厚肉部分。
【図１】
0004038369.tif 000002
【図２】
0004038369.tif 000003
【図３】
0004038369.tif 000004
【図４】
0004038369.tif 000005
【図５】
0004038369.tif 000006